(57)【特許請求の範囲】
【請求項１】
基布袋体と、該基布袋体を吊るための吊りベルトと、を備え、前記吊りベルトの取っ手部を、建設用重機のフック部に引掛けて吊り上げることにより運搬可能な土嚢用袋体であって、  前記取っ手部には、前記フック部に設けられた電磁石と磁着可能な磁性体が取り付けられており、該磁性体が前記取っ手部から着脱自在となっており、
前記取っ手部が、前記吊りベルトを長手方向に沿って折り返して縫着することにより形成されたものであり、
前記取っ手部には、磁性付与ベルトが取り付けられており、
該磁性付与ベルトには、ポケット部が設けられ、該ポケット部に前記磁性体が挿入されており、
前記磁性付与ベルトの両端には、それぞれ、帯状のタッチファスナー付バンドが取り付けられており、該タッチファスナー付バンドを前記取っ手部に巻き付けることにより、前記磁性付与ベルトが前記取っ手部に取り付けられており、
前記磁性付与ベルトの中央には、帯状の中部タッチファスナー付バンドが取り付けられており、該中部タッチファスナー付バンドを別の取っ手部に巻き付けることにより、取っ手部同士が束ねられる土嚢用袋体。
【請求項２】
基布袋体と、該基布袋体を吊るための吊りベルトと、を備え、前記吊りベルトの取っ手部を、建設用重機のフック部に引掛けて吊り上げることにより運搬可能な土嚢用袋体であって、  前記取っ手部には、前記フック部に設けられた電磁石と磁着可能な磁性体が取り付けられており、該磁性体が前記取っ手部から着脱自在となっており、
前記取っ手部には、磁性付与ベルトが取り付けられており、該磁性付与ベルトには、ポケット部が設けられ、該ポケット部に前記磁性体が挿入されており、
前記磁性付与ベルトの両端には、それぞれ、帯状のタッチファスナー付バンドが取り付けられており、該タッチファスナー付バンドを前記取っ手部に巻き付けることにより、前記磁性付与ベルトが前記取っ手部に取り付けられており、
前記磁性付与ベルトの中央には、帯状の中部タッチファスナー付バンドが取り付けられており、該中部タッチファスナー付バンドを別の取っ手部に巻き付けることにより、取っ手部同士が束ねられる土嚢用袋体。
【発明の詳細な説明】
【技術分野】
【０００１】
本発明は、土嚢に用いられる土嚢用袋体に関し、更に詳しくは、使い勝手に優れると共に、作業者に頼らずに無人で取っ手部をフック部に引掛ける玉掛け作業を行うことができる土嚢用袋体に関する。
【背景技術】
【０００２】
大型の土嚢は、災害の応急復旧対策等のための施工の際に、多くの現場で使用されている。
ところで、大型土嚢の施工現場においては、土嚢を運搬する際に、作業者が土嚢の取っ手部をフック部に引掛けるいわゆる「玉掛け作業」が必要であるが、施工現場の多くは、二次災害が起こる恐れがある危険な場所であるため、この玉掛け作業者の安全性に問題がある。
【０００３】
これに対し、作業者が現場に行かなくても、土嚢の施工が行える方法が検討されている。
例えば、土嚢用袋体とは用途及び機能が異なるが、無人で取っ手部をフック部に引掛ける例として、袋本体に十文字の吊りベルトの各自由端を取り付け、吊りベルトの十文字部にリフターの磁石に吸着させる被吸着材料を縫着したコンテナ袋が知られている（例えば、特許文献１参照）。
【先行技術文献】
【特許文献】
【０００４】
【特許文献１】実開昭６２−１９１６９９号公報
【発明の概要】
【発明が解決しようとする課題】
【０００５】
しかしながら、上記特許文献１記載のコンテナ袋は、十文字部に被吸着材料を縫着しているため、最初の段階で収容物をコンテナ袋内に入れることが困難であり、また、仮に収容物をコンテナ袋内に収容してから十文字部を作製し、そこに被吸着材料を縫着するのであれば、作業が極めて煩雑である。
すなわち、上記コンテナ袋は、極めて使い勝手の悪いものである。
【０００６】
本発明は上記事情に鑑みてなされたものであり、使い勝手に優れると共に、作業者に頼らずに無人で取っ手部をフック部に引掛ける玉掛け作業を行うことができる土嚢用袋体を提供することを目的とする。
【課題を解決するための手段】
【０００７】
本発明者等は、上記課題を解決するため鋭意検討したところ、取っ手部に、着脱自在となるように磁性体を取り付け、フック部に電磁石を設けることにより、上記課題を解決し得ることを見出し、本発明を完成させるに至った。
【０００８】
本発明は、（１）基布袋体と、該基布袋体を吊るための吊りベルトと、を備え、吊りベルトの取っ手部を、建設用重機のフック部に引掛けて吊り上げることにより運搬可能な土嚢用袋体であって、取っ手部には、フック部に設けられた電磁石と磁着可能な磁性体が取り付けられており、該磁性体が前記取っ手部から着脱自在となっており、取っ手部が、吊りベルトを長手方向に沿って折り返して縫着することにより形成されたものであり、取っ手部には、磁性付与ベルトが取り付けられており、該磁性付与ベルトには、ポケット部が設けられ、該ポケット部に前記磁性体が挿入されており、磁性付与ベルトの両端には、それぞれ、帯状のタッチファスナー付バンドが取り付けられており、該タッチファスナー付バンドを前記取っ手部に巻き付けることにより、磁性付与ベルトが前記取っ手部に取り付けられており、磁性付与ベルトの中央には、帯状の中部タッチファスナー付バンドが取り付けられており、該中部タッチファスナー付バンドを別の取っ手部に巻き付けることにより、取っ手部同士が束ねられる土嚢用袋体に存する。
【０００９】
本発明は、（２）基布袋体と、該基布袋体を吊るための吊りベルトと、を備え、吊りベルトの取っ手部を、建設用重機のフック部に引掛けて吊り上げることにより運搬可能な土嚢用袋体であって、取っ手部には、フック部に設けられた電磁石と磁着可能な磁性体が取り付けられており、該磁性体が取っ手部から着脱自在となっており、取っ手部には、磁性付与ベルトが取り付けられており、該磁性付与ベルトには、ポケット部が設けられ、該ポケット部に前記磁性体が挿入されており、磁性付与ベルトの両端には、それぞれ、帯状のタッチファスナー付バンドが取り付けられており、該タッチファスナー付バンドを取っ手部に巻き付けることにより、磁性付与ベルトが前記取っ手部に取り付けられており、磁性付与ベルトの中央には、帯状の中部タッチファスナー付バンドが取り付けられており、該中部タッチファスナー付バンドを別の取っ手部に巻き付けることにより、取っ手部同士が束ねられる土嚢用袋体に存する。
【発明の効果】
【００１４】
本発明の土嚢用袋体においては、取っ手部に取り付けられた磁性体が着脱自在となっているので、中詰め材を土嚢用袋体に投入する際には、邪魔にならないように磁性体を取り外し、中詰め材を投入した後、磁性体を取り付けることができる。
したがって、上記土嚢用袋体によれば、磁性体の使い勝手が極めて優れる。
【００１５】
本発明の土嚢用袋体においては、取っ手部には、フック部に設けられた電磁石と磁着可能な磁性体が取り付けられているので、フック部を近付けると、電磁石が磁性体に磁着し、フック部を上昇させると、磁性体が取り付けられた取っ手部が引き上げられることになる。
このとき、吊りベルトにフック部の爪部を挿入することにより、取っ手部をフック部に簡単に引掛けることが可能となる。
したがって、上記土嚢用袋体によれば、作業者に頼らずに取っ手部をフック部に引掛ける、いわゆる玉掛け作業を行うことができるので、施工現場が無人であっても、土嚢用袋体を運搬し、当該施工現場に施工することが可能となる。
【００１６】
本発明の土嚢用袋体においては、取っ手部が、吊りベルトを長手方向に沿って折り返して縫着することにより形成されたものである場合、取っ手部の強度を向上させることができる。これにより、土嚢用袋体を吊り上げて運搬する際、取っ手部の破損が抑制され、運搬の途中での土嚢の落下を防止できる。
また、このように取っ手部を形成することにより、フック部を取り付ける位置が明確となり、且つ折り返すことにより取っ手部の幅が狭くなっているので、フック部を取り付け易くなる。
【００１７】
本発明の土嚢用袋体においては、取っ手部にポケット部が設けられている場合、当該ポケット部に磁性体を挿入するだけの簡単な操作で、磁性体を取り付けることができる。
【００１８】
本発明の土嚢用袋体においては、取っ手部には、磁性付与ベルトが取り付けられており、該磁性付与ベルトには、ポケット部が設けられている場合、当該ポケット部に磁性体を挿入するだけの簡単な操作で、磁性体を取り付けることができる。
このとき、磁性付与ベルトの両端には、それぞれ、帯状のタッチファスナー付バンドが取り付けられている場合、当該タッチファスナー付バンドを取っ手部に巻き付けることにより、磁性付与ベルトを簡単に取っ手部に取り付けることができると共に、取っ手部を補強することも可能となる。
また、磁性付与ベルトの中央には、帯状の中部タッチファスナー付バンドが取り付けられている場合、当該中部タッチファスナー付バンドを別の取っ手部に巻き付けることにより、取っ手部同士を束ねることができる。
【図面の簡単な説明】
【００１９】
【図１】図１は、本発明に係る土嚢用袋体の第１実施形態を模式的に示す斜視図である。
【図２】図２の（ａ）は、第１実施形態に係る土嚢用袋体の取っ手部を示す部分拡大図であり、（ｂ）は、第１実施形態に係る土嚢用袋体をクレーンで吊り上げた場合の取っ手部を示す正面図であり、（ｃ）は、（ｂ）の側面図である。
【図３】図３の（ａ）は、第１実施形態に係る土嚢用袋体に用いられる磁性体の例を示す平面図であり、（ｂ）は、その側面図である。
【図４】図４の（ａ）〜（ｄ）は、第１実施形態に係る土嚢用袋体の吊り上げ方法を説明するための説明図である。
【図５】図５は、第２実施形態に係る土嚢用袋体の取っ手部を示す部分拡大図である。
【図６】図６は、第２実施形態に係る土嚢用袋体に用いられる磁性付与ベルトを示す平面図である。
【図７】図７の（ａ）〜（ｃ）は、他の実施形態に係る土嚢用袋体に用いられる磁性体を示す概略図である。
【図８】図７は、他の実施形態に係る土嚢用袋体に用いられる磁性付与ベルトを示す平面図である。
【発明を実施するための形態】
【００２０】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２１】
本実施形態に係る土嚢用袋体は、土嚢に用いられる。すなわち、土嚢用袋体は、内部に図示しない中詰め材が充填可能となっている。
ここで、中詰め材としては、公知のものが用いられ、例えば、土砂や石材等が挙げられる。
【００２２】
（第１実施形態）
図１は、本発明に係る土嚢用袋体の第１実施形態を模式的に示す斜視図である。
図１に示すように、第１実施形態に係る土嚢用袋体１０は、基布袋体１と、該基布袋体１を吊るための帯状の吊りベルト２と、を備える。
【００２３】
土嚢用袋体１０においては、基布袋体１の内部に中詰め材を充填し、その後、基布袋体１の口部を封じることにより土嚢として用いられる。なお、口部を封じる方法としては、特に限定されないが、例えば、口部をロープで縛る等の方法が挙げられる。
【００２４】
基布袋体１は、有底円筒状となっている。
基布袋体１の材質としては、特に限定されないが、ポリエステル、ポリプロピレン、ポリエチレン、ポリアミド等が用いられる。
これらの中でも、基布袋体１の材質は、耐久性及びリサイクルのし易さの観点から、ポリプロピレンであることが好ましい。
【００２５】
基布袋体１には、反射剤又は紫外線吸収剤が含まれていることが好ましい。この場合、紫外線による基布袋体１の劣化を抑制することができる。なお、反射剤としては、カーボンブラック、酸化鉄、酸化クロム、酸化鉛、酸化亜鉛、酸化マグネシウム、酸化チタン、炭酸カルシウム、硫酸バリウム等が挙げられ、紫外線吸収剤としては、フェニルサリシレート系、ヒドロキシベンゾフェノン系、ベンゾトリアゾール系等の吸収剤が挙げられる。
【００２６】
基布袋体１において、ＪＩＳ−Ｌ１０９６に準じた引張強度が２４０Ｎ／ｃｍ以上であることが好ましい。
引張り強度が２４０Ｎ／ｃｍ未満であると、引張り強度が上記範囲内にある場合と比較して、多段積みした場合の上載荷重に耐えられず、基布袋体１が破れる恐れがある。
また、ＪＩＳ−Ａ１２１８に準じた透水性が１．０×１０−２ｃｍ／ｓ以上であることが好ましい。
透水性が１．０×１０−２ｃｍ／ｓ未満であると、透水性が上記範囲内にある場合と比較して、高含水比の中詰め材に対して、早急に水を排出できない場合がある。
【００２７】
吊りベルト２は、ループ状となっており、基布袋体１の底部で直交し、底部から立ち上がるようにして、基布袋体１の側面に部分的に縫着されている。なお、基布袋体１の底部においても、吊りベルト２は、部分的に縫着されている。
このとき、吊りベルト２が基布袋体１の側面に縫着された部分の上面には、その縫着された部分を覆うように、被覆材６が基布袋体１の側面に縫着されている。これにより、縫着した部分が、屋外にて紫外線を受け、それにより劣化することを防止することができる。
また、吊りベルト２の縫着された部分が補強されるので、吊りベルト２が基布袋体１からより剥がれ難くなる。
【００２８】
そして、基布袋体１の上方には、二組のアーチ状の吊りベルト２が対向するように突出しており、各吊りベルト２の頂点には、フック部を引掛けるための取っ手部５が設けられている。
土嚢用袋体１０においては、吊りベルト２の取っ手部５に、建設用重機のフック部を引掛けて、当該フック部を上昇させることにより、土嚢用袋体１０が吊り上げられることになる。なお、かかる建設用重機としては、土嚢用袋体を吊り上げ可能であれば、特に限定されず、例えば、クレーン、ショベル、バックホウ等が採用できる。
【００２９】
ここで、吊りベルト２の使用糸としては、マルチフィラメント又はテープヤーンが用いられる。これらの中でも、吊りベルト２の使用糸は、傷付き難いという理由から、マルチフィラメントであることが好ましい。
また、吊りベルト２の材質としては、特に限定されないが、ポリエステル、ポリプロピレン、ポリエチレン、ポリアミド等が用いられる。
これらの中でも、吊りベルト２の材質は、耐久性及びリサイクルのし易さの観点から、ポリプロピレンであることが好ましい。
【００３０】
吊りベルト２においては、反射剤又は紫外線吸収剤が含まれていることが好ましい。この場合、紫外線による吊りベルト２の劣化を抑制することができる。
なお、反射剤及び紫外線吸収剤としては、上述したものと同じものが用いられる。
【００３１】
吊りベルト２において、ＪＩＳ−Ｌ１０９６に準じた引張強度が３０ｋＮ／本以上であることが好ましい。
引張り強度が３０ｋＮ／本未満であると、引張り強度が上記範囲内にある場合と比較して、中詰め材が充填された土嚢用袋体を吊り上げる際に、吊りベルトが破損する恐れがある。
【００３２】
土嚢用袋体１０においては、取っ手部５に、磁性体４が取り付けられている。
図２の（ａ）は、第１実施形態に係る土嚢用袋体の取っ手部を示す部分拡大図であり、（ｂ）は、第１実施形態に係る土嚢用袋体をクレーンで吊り上げた場合の取っ手部を示す正面図であり、（ｃ）は、（ｂ）の側面図である。
まず、図２の（ａ）に示すように、取っ手部５は、一定の幅を有する帯状の吊りベルト２を長手方向に沿って折り返して縫着することにより形成されている。このため、取っ手部５は、その他の吊りベルト２の部分よりも強度が強くなっている。
【００３３】
これにより、土嚢用袋体１０においては、土嚢用袋体１０を吊り上げて運搬する際に、取っ手部５が破損し、運搬の途中で土嚢が落下することを防止することができる。
また、図２の（ｂ）及び（ｃ）に示すように、土嚢用袋体１０においては、取っ手部５を形成することにより、フック部の爪部７２に引掛ける位置が明確となり、且つ折り返すことにより取っ手部の幅が狭くなっているので、爪部７２に引掛け易くなる。
【００３４】
図２の（ａ）に戻り、土嚢用袋体１０において、取っ手部５の上面には、ポケット部３が設けられている。
そして、当該ポケット部３に、磁性体４を収納させることにより、取っ手部５は、磁性を有することになる。逆に、磁性体をポケット部３から取り出すことにより、取っ手部５は磁性を失うこととなる。
このように、取っ手部５に対して、磁性体４を着脱自在とすることにより、磁性を付与又は除去することができる。
【００３５】
土嚢用袋体１０においては、磁性体４が取っ手部５から着脱自在となっているので、例えば、土嚢用袋体１０の取っ手部５から磁性体４を取り外した状態で、土嚢用袋体１０に中詰め材を投入することができ、その後、取っ手部５のポケット部３に磁性体４を挿入するだけの簡単な操作で、取っ手部５に磁性体４を取り付けることができる。
【００３６】
図３の（ａ）は、第１実施形態に係る土嚢用袋体に用いられる磁性体の例を示す平面図であり、（ｂ）は、その側面図である。
図３の（ａ）に示すように、磁性体４は、柔軟性を有するマグネットシート４１と、該マグネットシート４１の少なくとも一面に取り付けられた複数の金属片４２とからなる。
【００３７】
マグネットシート４１は、例えば、フェライト（酸化鉄）と樹脂バインダーとの混合物をシート状にし、着磁化したものである。
マグネットシート４１は、柔軟性を有するため、吊り上げられる際に、図２の（ｂ）に示すように、変形する取っ手部５の形状に、磁性体４の形状を追従させることができる。
ここで、マグネットシート４１の厚みは、柔軟性を担保する観点から、５ｍｍ以下であることが好ましい。
【００３８】
金属片４２は、マグネットシート４１の一面に等間隔で取り付けられる。
なお、金属片４２としては、磁性を有する金属の平板状の欠片が採用可能である。例えば、平座金や角座金等の座金が好適に用いられる。
磁性体４は、マグネットシート４１に複数の金属片４２を取り付けることにより、十分な磁性を発揮することができると共に、磁性体４自体の強度も強化させることができる。
【００３９】
次に、中詰め材を充填し、口部を封止した土嚢用袋体１０を吊り上げる方法について説明する。
図４の（ａ）〜（ｄ）は、第１実施形態に係る土嚢用袋体の吊り上げ方法を説明するための説明図である。
図４の（ａ）に示すように、建設用重機は、フック部７に電磁石７４が設けられている。
具体的には、フック部７は、基部７０と、基部７０に設けられた一対の軸部７１にそれぞれ枢着された爪部７２と、該爪部７２同士の間に突出するように、基部７０に取り付けられた支持杆７３と、支持杆７３の先端に取り付けられた電磁石７４とを備える。
【００４０】
当該フック部７においては、一対の爪部７２が軸部７１を中心に回動可能となっており、一対の爪部７２を回動させ、爪部７２同士の先端を互いに当接させることにより、土嚢用袋体１０の吊りベルト２が引掛けられるようになっている。
また、爪部７２同士の先端を離間させることにより、引掛けられた土嚢用袋体１０の吊りベルト２が開放させるようになっている。
【００４１】
ここで、電磁石７４とは、磁性材料の芯の周りに、コイルを巻き、通電することによって、一時的に磁力を発生させる磁石である。
かかる磁性材料としては、特に限定されないが、例えば、鉄（砂鉄を含む）、ケイ素鋼、パーマロイ、センダスト、パーメンジュール、ソフトフェライト、アモルファス磁性合金、ナノクリスタル磁性合金等が挙げられる。
なお、電磁石７４の代わりに、永久磁石を使用することも可能である。
【００４２】
土嚢用袋体の吊り上げ方法においては、まず、図４の（ａ）に示すように、建設用重機がフック部７の爪部７２同士の先端を離間させた状態で、フック部７を下降させ、支持杆７３の先端に取り付けられた電磁石７４を土嚢用袋体１０の吊りベルト２に近接させる。
そうすると、図４の（ｂ）に示すように、支持杆７３の先端に取り付けられた電磁石７４が、吊りベルト２の取っ手部５に取り付けられた磁性体４に吸い付けられるように磁着される。
【００４３】
次に、図４の（ｃ）に示すように、建設用重機がフック部７を上昇させると、電磁石７４に磁着された磁性体４も同体となって上昇し、当該磁性体４が取り付けられた取っ手部５も引き上げられることになる。そうすると、吊りベルト２が起き上がり内側に空間が生じる。
このとき、図４の（ｄ）に示すように、フック部７の爪部７２を共に内方に回動させ、爪部７２同士の先端を当接させる。これでアーチ状に引き上げられた吊りベルト２に爪部７２が確実に引掛けられた状態となる。
【００４４】
次に、建設用重機がフック部７を上昇させることにより、吊りベルト２も上昇し、取っ手部５を介して、土嚢用袋体１０が吊り上げられる。
そして、土嚢用袋体１０は、吊り上げられた状態で、建設用重機により他所に運搬されることになる。
【００４５】
このように、上記土嚢用袋体１０の吊り上げ方法によれば、作業者に頼らずに取っ手部５をフック部７に引掛ける玉掛け作業を行うことができるので、施工現場が無人であっても、土嚢用袋体１０を運搬し、当該施工現場に施工することが可能となる。
また、土嚢用袋体１０においては、取っ手部５が形成されているので、フック部７を取り付ける位置が明確となっている。
さらに、取っ手部５が吊りベルト２の略中央に引掛けられることになるから、吊り搬送の際、フック部７が常に取っ手部５の略中央に位置することになる。そのため、吊り上げられた状態のバランスが良く、偏荷重にならないため、土嚢用袋体１０の一部に応力が集中するようなことはなく、破損等も防止できる。
【００４６】
本実施形態に係る土嚢用袋体１０を用いた土嚢は、例えば、海岸、河川、湖、池等の法面に好適に敷設される。
また、二次災害が起こる恐れがある危険な場所であっても、敷設することが可能である。
【００４７】
（第２実施形態）
第２実施形態に係る土嚢用袋体は、基布袋体１と、該基布袋体１を吊るための帯状の吊りベルト２と、を備え、取っ手部５に、磁性付与ベルトが取り付け可能となっている。
また、磁性付与ベルトには、磁性体が取り付けられている。
すなわち、第２実施形態に係る土嚢用袋体は、取っ手部５に磁性体を収容するポケット部３がなく、磁性付与ベルトを介して磁性体が取り付けられるようになっていること以外は、第１実施形態に係る土嚢用袋体と同じである。
【００４８】
図５は、第２実施形態に係る土嚢用袋体の取っ手部を示す部分拡大図である。
図５に示すように、取っ手部５は、第１実施形態に係る土嚢用袋体１０の取っ手部５と同様に、一定の幅を有する帯状の吊りベルト２を長手方向に沿って折り返して縫着することにより形成されている。このため、取っ手部５は、その他の吊りベルト２の部分よりも強度が強くなっている。
【００４９】
土嚢用袋体において、取っ手部５には、磁性付与ベルト８が取り付けられており、当該磁性付与ベルト８には、ポケット部が設けられている。
そして、当該ポケット部に、磁性体４を収納させることにより、取っ手部５は、磁性を有することになる。逆に、磁性体をポケット部から取り出すことにより、取っ手部５は、磁性を失うこととなる。
このように、磁性付与ベルト８に対して、磁性体４を着脱自在とすることにより、磁性を付与又は除去することができる。
【００５０】
図６は、第２実施形態に係る土嚢用袋体に用いられる磁性付与ベルトを示す平面図である。
図６に示すように、磁性付与ベルト８は、矩形状の布帛片を折り畳んで、長辺側の縁部及び短辺側の縁部の一方を縫合したポケット部８０と、該ポケット部８０の両端にそれぞれ縫着された帯状のタッチファスナー付バンド８１とを備える。
【００５１】
ポケット部８０の材質としては、特に限定されないが、ポリエステル、ポリプロピレン、ポリエチレン、ポリアミド等が用いられる。
これらの中でも、ポケット部８０の材質は、耐久性及びリサイクルのし易さの観点から、ポリプロピレンであることが好ましい。
また、磁性付与ベルト２においては、反射剤又は紫外線吸収剤が含まれていることが好ましい。この場合、紫外線による吊りベルト２の劣化を抑制することができる。なお、反射剤及び紫外線吸収剤としては、上述したものと同じものが用いられる。
【００５２】
磁性付与ベルト８においては、ポケット部８０の短辺側の一方が縫合されていないので、内部に磁性体（図示しない）を収容可能となっている。すなわち、磁性付与ベルト８には、ポケット部８０が設けられているので、当該ポケット部８０に磁性体を挿入するだけの簡単な操作で、磁性体を取り付けることができる。なお、当該磁性体は、上述した第１実施形態に係る土嚢用袋体１０における磁性体４と同じ構造のものを採用することができる。
【００５３】
磁性付与ベルト８は、タッチファスナー付バンド８１を取っ手部５に巻き付けることにより、取っ手部５に取り付けられるようになっている。このため、磁性付与ベルト８を簡単に取っ手部５に取り付けることができると共に、取っ手部５を補強することができる。
【００５４】
以上、本発明の好適な実施形態について説明したが、本発明は上述した実施形態に限定されるものではない。
【００５５】
例えば、本実施形態に係る土嚢用袋体１０においては、ループ状の吊りベルト２を用いているが、紐状の吊りベルトを用いてもよい。
【００５６】
本実施形態に係る土嚢用袋体１０においては、基布袋体１の側面と、吊りベルト２とが部分的に縫着されているが、側面全体と縫着されていてもよい。なお、基布袋体１の底面についても同様である。
また、吊りベルト２は、基布袋体１の底部で直交し、底部から立ち上がるように、基布袋体１の側面に沿って取り付けられているが、この構造に限定されない。
さらに、吊りベルト２が基布袋体１の側面に縫着された部分の上面には、その縫着された部分を覆うように、被覆材６が基布袋体１の側面に縫着されているが、被覆材６は必ずしも必須の構成ではない。
【００５７】
本実施形態に係る土嚢用袋体１０においては、基布袋体１の上方に、二組のアーチ状の吊りベルト２が２組突出しているが、突出するアーチ状の吊りベルト２は、一組であってもよく、三組以上であってもよい。
【００５８】
本実施形態に係る土嚢用袋体１０において、磁性体４は、柔軟性を有するマグネットシート４１と、該マグネットシート４１の少なくとも一面に取り付けられた複数の金属片４２とからなっているが、磁性体は、電磁石と磁着可能であれば、この構造に限定されるものではない。
【００５９】
図７の（ａ）〜（ｃ）は、他の実施形態に係る土嚢用袋体に用いられる磁性体を示す概略図である。
図７の（ａ）に示すように、磁性体４ａは、磁性を有する金属からなるチェーンであってもよい。
この場合、取っ手部５のポケット部３に磁性体４ａであるチェーンがそのまま挿入されることになる。
【００６０】
また、図７の（ｂ）に示すように、磁性体４ｂは、袋体に砂鉄が充填されたものであってもよい。なお、袋体の形状は、ポケット部３に挿入可能であれば、特に限定されない。
【００６１】
さらに、図７の（ｃ）に示すように、磁性体４ｃは、磁性を有する金属からなる蝶番が複数連続した構造であってもよい。なお、蝶番は、磁性を有する金属からなる軸部４ｃ１と、磁性を有する金属からなる板部４ｃ２とからなり、連続する板部４ｃ２の間に軸部４ｃ１が取付けられている。また、板部４ｃ２は軸部４ｃ１を中心に回動可能となっている。
取っ手部５のポケット部３に磁性体４ｃである連続する蝶番が挿入されると、磁性体４ｃは、軸部４ｃ１で板部４ｃ２が回動するので、吊り上げる際の取っ手部５の変形に、追従することができる。
【００６２】
本実施形態に係る土嚢用袋体１０において、フック部７は、基部７０と、基部７０に設けられた一対の軸部７１にそれぞれ枢着された爪部７２と、該爪部７２同士の間に突出するように、基部７０に取り付けられた支持杆７３と、支持杆７３の先端に取り付けられた磁性体７４とを備えているが、この構造に限定されず、公知の建設用重機のフック部に、電磁石を設けたものであってもよい。但し、電磁石により、磁性体４が取り付けられた取っ手部５を引き上げた状態で、フック部を吊りベルト２に挿入可能な構成とする必要がある。
【００６３】
第１実施形態に係る土嚢用袋体１０において、取っ手部５の上面には、ポケット部３が設けられているが、取っ手部５の両面に設けられていてもよい。
【００６４】
第２実施形態に係る土嚢用袋体１０において、磁性付与ベルト８は、矩形状の布帛片を折り畳んで、長辺側の縁部及び短辺側の縁部の一方を縫合したポケット部８０と、該ポケット部８０の両端にそれぞれ縫着された帯状のタッチファスナー付バンド８１とを備えているが、ポケット部８０とタッチファスナー付バンド８１とは別体であってもよく、タッチファスナー付バンド８１の代わりに、結束バンド等を用いてもよい。
【００６５】
第２実施形態に係る土嚢用袋体１０において、磁性付与ベルト８は、ポケット部の中央に縫着された帯状の中央タッチファスナー付バンドを更に備えていてもよい。
図８は、他の実施形態に係る土嚢用袋体に用いられる磁性付与ベルトを示す平面図である。
図８に示すように、磁性付与ベルト９は、矩形状の布帛片を折り畳んで、長辺側の縁部及び短辺側の縁部の一方を縫合したポケット部９０と、該ポケット部９０の両端にそれぞれ縫着された帯状のタッチファスナー付バンド８１と、ポケット部の中央に縫着された帯状の中央タッチファスナー付バンド９１とを備えている。
この場合、中部タッチファスナー付バンド９１を別の取っ手部に巻き付けることにより、取っ手部同士を束ねることが可能となる。
【産業上の利用可能性】
【００６６】
本発明に係る土嚢用袋体１０は、海岸、河川、湖、池等の法面の護岸のために、好適に敷設して用いられる。
また、二次災害が起こる恐れがある危険な場所であっても、敷設することが可能である。
本発明に係る土嚢用袋体１０によれば、使い勝手に優れると共に、作業者に頼らずに無人で取っ手部をフック部に引掛ける玉掛け作業を行うことができる。
【符号の説明】
【００６７】
１・・・基布袋体
１０・・・土嚢用袋体
２・・・吊りベルト
３，８０，９０・・・ポケット部
４，４ａ，４ｂ，４ｃ・・・磁性体
４１・・・マグネットシート
４２・・・金属片
４ｃ１・・・軸部
４ｃ２・・・板部
５・・・取っ手部
６・・・被覆材
７・・・フック部
７０・・・基部
７１・・・軸部
７２・・・爪部
７３・・・支持杆
７４・・・電磁石
８，９・・・磁性付与ベルト
８１・・・タッチファスナー付バンド
９１・・・中部タッチファスナー付バンド
【図１】
0006623054.tif 000002
【図２】
0006623054.tif 000003
【図３】
0006623054.tif 000004
【図４】
0006623054.tif 000005
【図５】
0006623054.tif 000006
【図６】
0006623054.tif 000007
【図７】
0006623054.tif 000008
【図８】
0006623054.tif 000009